(57)【要約】【課題】  この発明は、少ない部品点数で方向転換して移動することを可能とし、連結・解除作業を不要とする傾斜面用靴底装着具を提供することを目的とする。【解決手段】水平面と使用者靴底面とがなす角度を傾斜面Ｇの傾斜角θよりも小さくする傾斜面用靴底装着具１であって、傾斜面用靴底装着具１は、爪部２と本体３とを備え、爪部２は傾斜面Ｇを刺すものであり、本体３は靴底接触部４と底面斜部５と右端斜部６と左端斜部７とを備え、靴底接触部４は足長方向Ｄと足幅方向Ｗとを備え、底面斜部５は靴底接触部４における足幅方向Ｗの一端側と底面斜角αをなし、右端斜部６は靴底接触部４における足長方向Ｄの一端側と右端斜角βをなし、左端斜部７は、靴底接触部４における足長方向Ｄの他端側と左端斜角γをなす。【選択図】図１
2017063902.tif 000002
【特許請求の範囲】
【請求項１】
水平面と使用者靴底面とがなす角度を傾斜面（Ｇ）の傾斜角（θ）よりも小さくする傾斜面用靴底装着具（１）であって、
傾斜面用靴底装着具（１）は、爪部（２）と本体（３）とを備え、
爪部（２）は、傾斜面（Ｇ）を刺すものであり、
本体（３）は、靴底接触部（４）と底面斜部（５）と右端斜部（６）と左端斜部（７）とを備え、
靴底接触部（４）は、足長方向（Ｄ）と足幅方向（Ｗ）とを備え、
底面斜部（５）は、靴底接触部（４）における足幅方向（Ｗ）の一端側と底面斜角（α）をなし、
右端斜部（６）は、靴底接触部（４）における足長方向（Ｄ）の一端側と右端斜角（β）をなし、
左端斜部（７）は、靴底接触部（４）における足長方向（Ｄ）の他端側と左端斜角（γ）をなすことを特徴とする傾斜面用靴底装着具。
【請求項２】
前記爪部（２）は、底面斜部（５）に対して着脱自在であり、前記靴底接触部（４）に対して垂直方向に突出するものであることを特徴とする請求項１記載の傾斜面用靴底装着具。
【請求項３】
前記爪部（２）は、取り付けステー（２０）と一体的に形成されたものであり、
取り付けステー（２０）は、底面斜部（５）に取り付けるものである
ことを特徴とする請求項２記載の傾斜面用靴底装着具。
【請求項４】
前記靴底接触部（４）は、足幅方向（Ｗ）の一端側端部（４１）と足幅方向（Ｗ）の他端側端部（４２）とを備え、
一端側端部（４１）の中央付近が、他端側端部（４２）に向かって湾曲する湾曲部（４０）を備えることを特徴とする請求項１乃至３のいずれかに記載の傾斜面用靴底装着具。
【請求項５】
前記底面斜部（５）は、前記傾斜面（Ｇ）に食い込む突設部（５０）を備えており、
前記突設部（５０）は、底面斜部（５）に対して垂直方向に突設されたものである
ことを特徴とする請求項１乃至４のいずれかに記載の傾斜面用靴底装着具。
【発明の詳細な説明】
【技術分野】
【０００１】
本発明は、水平面と使用者靴底面とがなす角度を傾斜面の傾斜角よりも小さくする傾斜面用靴底装着具に関する。
【０００２】
法面の植樹作業や雑草の伐採作業など傾斜面においての作業は、水平面と靴底面との角度が大きいものであると、作業者の足首に負担をかけてしまう作業であった。このため、作業者足首に疲労が蓄積され、作業者は、足首を痛めたり、傾斜面で転倒したりするおそれがあった。また、作業が行い難く、作業効率も悪いものであった。
【０００３】
そこで、従来、傾斜面における歩行や作業をし易くするための補助具に関する考案が提案されている。（例えば特許文献１）
特許文献１記載の発明は、傾斜面における歩行や作業がし易く、方向転換して移動することが可能であり、かつ傾斜面を上り下りする際にもその方向を向いて移動することが可能である。
【０００４】
しかしながら、特許文献１記載の発明は、部品数が多く重いものであることから、斜面の上り下りで足に取り付けて持ち上げるには不便なものであり、製造費用がかかるものであった。
また、方向転換の際には回転連結を解除し、傾斜に合わせて再度固定する必要があり、この作業は、面倒なものであった。
【先行技術文献】
【特許文献】
【０００５】
【特許文献１】実用新案登録第３１９４３４６号
【発明の概要】
【発明が解決しようとする課題】
【０００６】
そこでこの発明は、少ない部品点数で方向転換して移動することを可能とし、連結・解除作業を不要とする傾斜面用靴底装着具を提供することを目的とする。
【課題を解決するための手段】
【０００７】
上記目的を達成するために本件発明は以下の手段を用いた。
（請求項１記載の発明）
請求項１記載の傾斜面用靴底装着具は、水平面と使用者靴底面とがなす角度を傾斜面の傾斜角よりも小さくする傾斜面用靴底装着具であって、傾斜面用靴底装着具は、爪部と本体とを備え、爪部は、傾斜面を刺すものであり本体は、靴底接触部と底面斜部と右端斜部と左端斜部とを備え、靴底接触部は、足長方向と足幅方向とを備え、底面斜部は、靴底接触部における足幅方向の一端側と底面斜角をなし、右端斜部は、靴底接触部における足長方向の一端側と右端斜角をなし、左端斜部は、靴底接触部における足長方向の他端側と左端斜角をなすことを特徴とする。
（請求項２記載の発明）
請求項２記載の傾斜面用靴底装着具は、請求項１記載の傾斜面用靴底装着において、前記爪部は、底面斜部に対して着脱自在であり、前記靴底接触部に対して垂直方向に突出するものであることを特徴とする。
【０００８】
（請求項３記載の発明）
請求項３記載の傾斜面用靴底装着具は、請求項２記載の傾斜面用靴底装着具において、前記爪部は、取り付けステーと一体的に形成されたものであり、取り付けステーは、底面斜部に取り付けるものであることを特徴とする。
（請求項４記載の発明）
請求項４記載の傾斜面用靴底装着具は、請求項１乃至３のいずれかに記載の傾斜面用靴底装着具において、前記靴底接触部は、足幅方向の一端側端部と足幅方向の他端側端部とを備え、一端側端部の中央付近が、他端側端部に向かって湾曲する湾曲部を備えることを特徴とする。
（請求項５記載の発明）
請求項５記載の傾斜面用靴底装着具は、請求項１乃至４のいずれかに記載の傾斜面用靴底装着具において、前記底面斜部は、前記傾斜面に食い込む突設部を備えており、前記突設部は、底面斜部に対して垂直方向に突設されたものであることを特徴とする。
【発明の効果】
【０００９】
（請求項１記載の発明の効果）
請求項１記載の発明であると、足幅方向と傾斜が一致した場合、使用者靴底の角度は、図１０に示すように、傾斜角と底面斜角との差になる。
また、足長方向と傾斜が一致した場合、下り坂の時は、図１１に示すように、傾斜角と右端斜角との差になり、上り坂の時は、図１２に示すように、傾斜角と左端斜角との差になる。
これにより、使用者足首の曲げ角が傾斜角よりも軽減されるものとなる。そして、この傾斜面用靴底装着具は、少ない部品点数で方向転換して移動することを可能とし、連結・解除作業が不要である。
（請求項２記載の発明の効果）
請求項２記載の発明であると、使用者の足底から爪部へ垂直に踏み込む力を伝えることができ、斜面に対する滑り止め効果が向上する。
また、爪部を着脱自在としたことにより、長期間使用して摩耗した爪部を交換することができる。
【００１０】
（請求項３記載の発明の効果）
請求項３記載の発明であると、前述の爪部の爪を一本ずつ交換する必要がなく、複数ある爪をまとめて交換することができる。
（請求項４記載の発明の効果）
請求項４記載の発明であると、足の土踏まずの箇所に湾曲部が入り込む態様となり、一端側端部が足の親指を押し付けないものとなり、使用者の足の親指への負担が軽減され、靴擦れの症状が出ないものとなる。
（請求項５記載の発明の効果）
請求項５記載の発明であると、突設部によって、さらに滑り止め効果が向上したものとなる。
【図面の簡単な説明】
【００１１】
【図１】図１は、傾斜面用靴底装着具の上側全体斜視図である。
【図２】図２は、傾斜面用靴底装着具の下側全体斜視図である。
【図３】図３は、傾斜面用靴底装着具の左側面図である。
【図４】図４は、傾斜面用靴底装着具の右側面図である。
【図５】図５は、傾斜面用靴底装着具の前側面図である。
【図６】図６は、傾斜面用靴底装着具の後側面図である。
【図７】図７は、傾斜面用靴底装着具の上面図である。
【図８】図８は、傾斜面用靴底装着具の底面図である。
【図９】図９は、図７のＡ−Ａ断面図である。
【図１０】図１０は、斜面載置時の左側面図である。
【図１１】図１１は、下り斜面載置時の前側面図である。
【図１２】図１２は、上り斜面載置時の前側面図である。
【図１３】図１３は、実施例２の傾斜面用靴底装着具の後側面図である。
【発明を実施するための形態】
【００１２】
以下にこの発明の傾斜面用靴底装着具１を実施例として示す各図と共に説明する。
【実施例１】
【００１３】
〔１．傾斜面用靴底装着具１について〕
図１は傾斜面用靴底装着具１の上側全体斜視図であり、図２は傾斜面用靴底装着具１の下側全体斜視図であり、図３は傾斜面用靴底装着具１の左側面図であり、図４は傾斜面用靴底装着具１の右側面図であり、図５は傾斜面用靴底装着具１の前側面図であり、図６は傾斜面用靴底装着具１の後側面図であり、図７は傾斜面用靴底装着具１の上面図であり、図８は傾斜面用靴底装着具１の底面図であり、図９は、図７のＡ−Ａ断面図であり、図１０は斜面載置時の左側面図であり、図１１は下り斜面載置時の前側面図であり、図１２は上り斜面載置時の前側面図である。まとめると、図１〜図９は傾斜面用靴底装着具１の斜視図と六面図であり、図１０〜図１２は傾斜面Ｇとの関連を示すものである。
【００１４】
そして、傾斜面用靴底装着具１は、図１０〜１２に示すように水平面と使用者靴底面とがなす角度を傾斜面Ｇの傾斜角θよりも小さくする傾斜面用靴底装着具１である。図１〜２に示すように傾斜面用靴底装着具１は、爪部２と本体３とを備え、図１０〜１２に示すように爪部２は傾斜面Ｇを刺すものであり、図１〜２に示すように本体３は、靴底接触部４と底面斜部５と右端斜部６と左端斜部７とを備え、図７に示すように靴底接触部４は足長方向Ｄと足幅方向Ｗとを備え、図１０に示すように底面斜部５は、靴底接触部４における足幅方向Ｗの一端側と底面斜角αをなし、図１１に示すように右端斜部６は靴底接触部４における足長方向Ｄの一端側と右端斜角βをなし、図１２に示すように左端斜部７は靴底接触部４における足長方向Ｄの他端側と左端斜角γをなすものである。
【００１５】
〔２．傾斜角θの角度緩和による、使用者足首の負担軽減について〕
傾斜面用靴底装着具１は、長靴や作業靴を履いた足Ｆの靴底と靴底接触部４とが接触する態様で、ベルトセット８を用いて、足Ｆに取り付けるものである。足Ｆは右足であっても左足であっても良い。図１０〜図１２は左足に傾斜面用靴底装着具１を取り付けた図である。
草刈り作業などで、傾斜面用靴底装着具１を左足に取り付けた作業者が、傾斜面Ｇに対して左足下がり右足上がりのスタンスで立つと、左足のつま先正面は、図１０に示す状態となる。すなわち、従来は傾斜角θが作業者左足首外側を伸ばすという負担が大きかったが、底面傾斜角αによって靴底接触部４が水平面に近づき、作業者左足首外側への負担は軽減される。
【００１６】
また、傾斜面Ｇの草刈り作業は、前述の傾斜面Ｇに対して左足下がり右足上がりのスタンスで立ち前進し一列の草を刈り終えると、傾斜面Ｇを上るか下るかして、次の列の草刈りを行う。
傾斜面Ｇを下る際は、図１１に示すように右端斜角βが傾斜角θを緩和し、靴底接触部４を水平に近づける。同様に、傾斜面Ｇを上る際は、図１２に示すように左端斜角γが傾斜角θを緩和し、靴底接触部４を水平に近づける。
したがって、草刈り作業および上り下りの全ての移動において、使用者足首の曲げ角が傾斜角θよりも軽減されるものとなる。
【００１７】
〔３．底面斜角α、右端斜角β、左端斜角γについて〕
作業者の足首に負担がかかる一般的な傾斜角θは２０°〜６０°であるから、底面斜角αは２０°〜６０°、右端斜角βは３０°〜８０°、左端斜角γは３０°〜８０°とすることができる。
このようにすると、爪部２の設置範囲を確保すると共に、多様な傾斜角θに対応することができる。底面斜角αは３０°〜５０°とすると、傾斜角θを小さくする効果が大きく好ましい。また、右端斜角βは５０°〜７０°とし、左端斜角γは５０°〜７０°とすると使用者がつま先又は踵に力を入れて踏ん張りやすいものとなり好ましい。
【００１８】
〔４．本体３ついて〕
傾斜面用靴底装着具１の本体３は、図７に示す上面となる靴底接触部４と、図６に示す後面および図８に示す底面となる底面斜部５と、図４に示す右側面となる右端斜部６と、図３に示す左側面となる左端斜部７と、図５に示す前側面（足の外側）となる外側面３０の、５面体である。高さが必要な場合は、靴底接触部４を図３〜図６の上方に移動させ、残りの４面から側面を形成する。これにより、底面斜部５の仮想延長面は靴底接触部４の仮想延長面と底面斜角αをなし、右端斜部６の仮想延長面は靴底接触部４の仮想延長面と右端斜角βをなし、左端斜部７の仮想延長面は靴底接触部４の仮想延長面と左端斜角γをなすものとすることができる。
本体３は、軽量で使用者の体重に耐えられるプラストマを用いるのが好ましい。プラストマとして、ポリエチレン、ポリアセタール、ポリアミド、ポリイミド、ポリカーボネート、ポリフェニレン、ポリブチレンを例示することができる。
【００１９】
〔５．爪部２と底面斜部５について〕
底面斜部５は、図１０〜図１２に示すように傾斜面Ｇに最も近い面である。
この底面斜部５に取り付けられる爪部２は、底面斜部５に対して着脱自在であり、前記靴底接触部４に対して垂直方向に突出し、傾斜面Ｇを突き刺すものである。爪部２は一本ずつ底面斜部５に取り付けるものであっても良いが、図２〜図４に示すようにステー２０に並べて爪部２を配置する態様で一体的に形成し、取り付けステー２０を底面斜部５に着脱自在とするのが好ましい。例えば図３に示すように、ボルト３１とナット３２と用いて四隅を螺着することにより、取り付けステー２０を底面斜部５に着脱自在の取り付けとすることができる。ボルト３１とナット３２に束縛されず、両面テープなどを用いても良い。爪部２と取り付けステー２０は金属材料で一体成型されたものが好ましい。前記金属材料としてステンレスを例示することができる。
図２と図６と図８に示すように、底面斜部５は等脚台形の形状であり、取り付けステー２０は底面斜部５の外縁と左右等脚中央付近に位置する。
底面斜部５の取り付けステー２０が当接しない箇所は、前記傾斜面Ｇに食い込む突設部５０を備えている。図３に示すように突設部５０は三角形形状であり、三角形形状の頂点は底面斜部５に対して垂直方向に突設されたものである。
【００２０】
〔６.靴底接触部４について〕
靴底接触部４は、図７に示すように足長方向Ｄと足幅方向Ｗとを備えており、足幅方向Ｗの一端側端部４１と足幅方向Ｗの他端側端部４２とを備え、一端側端部４１の中央付近が、他端側端部４２に向かって湾曲する湾曲部４０を備える。足長方向Ｄは１５０ｍｍ〜２５０ｍｍとし、足幅方向Ｗは８０ｍｍ〜１２０ｍｍとし、湾曲部４０は５ｍｍ〜２０ｍｍ他端側端部４２に向かっているものとすることができる。
湾曲部４０と一端側端部４１と他端側端部４２は、図１に示すように直立リムであり、ベルトセット８と直立リムと靴底接触部４によって、使用者の靴（図１０〜図１２の足Ｆ）と傾斜面用靴底装着具１は固定される。
この固定時に、湾曲部４０が足Ｆの土踏まず部分に入り込む為、足の親指は圧迫されないものとなり、靴擦れなどが生じにくいものとなる。
ベルトセット８を固定するために、一端側端部４１の直立リムには貫通孔４３が形成され、他端側端部４２の直立リムには外側フック４４が形成される。
図１および図７に示すように、靴底と接触する表面に滑り止め１０を設けることもできる。
【００２１】
〔７.右端斜部６と左端斜部７について〕
図１１に示すように、使用者の左足に傾斜面用靴底装着具１を取り付けると、左足Ｆのつま先側が左端斜部７となり、踵側が右端斜部６となる。同様に、使用者の右足に傾斜面用靴底装着具１を取り付けると、つま先側が右端斜部６となり、踵側が左端斜部７となる。
右端斜部６は図４及び図６に示すように右突設部６０を備えており、左端斜部７は図３及び図６に示すように左突設部７０を備えている。
【００２２】
〔８．ベルトセット８について〕
ベルトセット８は、図１および図２に示すように、短ベルト８０と長ベルト８１を組み合わせたものである。短ベルト８０と長ベルト８１それぞれは、伸縮性を備えたベルトであり、中央部を幅広とし、一端に内側係止具８２を備え、他端に外側係止具８３を備える。
短ベルト８０はつま先側を固定し、長ベルト８１は足首側を固定するものであるから、使用者が取り付ける足を、左足から右足または右足から左足に変更する際、短ベルト８０と長ベルト８１を入れ替えるものである。
例えば、図１に示す短ベルト８０と長ベルト８１は、左足用に取り付けられているが、短ベルト８０と長ベルト８１それぞれの内側係止具８２を入れ替えて貫通孔４３に通すことにより、右足用とすることができる。したがって、左右どちらの足が軸足になったとしても、一つの傾斜面用靴底装着具１で対応することができる。
【実施例２】
【００２３】
図１３は、実施例２の傾斜面用靴底装着具１の後側面図である。
実施例２の傾斜面用靴底装着具１は、実施例１に基づいて爪部２を内側爪部２１外側爪部２２とし、底面斜部５の内側突設部５１と外側突設部５２を削減し、ベルトセット８をバックルセット９としたものであり、その他は実施例１と同様である。変更点について以下に述べる。
【００２４】
〔９．実施例２の爪部２について〕
実施例２の爪部２は、足の内側となる一端側端部４１側に設けた爪部２を内側爪部２１とし、足の外側となる他端側端部４２側に設けた爪部２を外側爪部２２とした。
図１３に示すように、内側爪部２１は、外側爪部２２よりも、爪一本ずつの間隔が大きいものである。このようにすると、図１０における内側爪部２と底面斜部５の鋭角（９０°から底面斜角αを引いた角度）の間に土がつまる不具合を減少させることができる。外側爪部２２と底面斜部５は鈍角であるから、外側爪部２２が内側より密であっても、土がつまることは少ない。内側爪部２１の爪一本ずつの間隔は、外側爪部２２爪一本ずつの間隔の、１．５〜３倍とするのが好ましい。爪２にはリブを設け爪２が曲がりにくいようにするのが好ましい。
【００２５】
〔１０．底面斜部５について〕
実施例２の底面斜部５は、図１３に示す突設部５０のうち内側突設部５１と外側突設部５２を削除した。これにより、実施例１記載の突設部５０それぞれは、疎に設けられる。このようにすると突設部５０の間への土詰まりを解消することができる。
また、実施例２の突設部５０それぞれは、底面斜部５に対する垂直方向の突設距離が、実施例１よりも短いものである。より具体的には、爪部２は靴底接触部４に対して垂直方向に取り付けステー２０から２５ｍｍ突出しているものであり、実施例１の突設部５０は底面斜部５に対して垂直方向に取り付けステー２０から７ｍｍ〜１０ｍｍ突出しているものであり、実施例２の突設部５０は底面斜部５に対して垂直方向に取り付けステー２０から３ｍｍ〜５ｍｍ突出しているものである。
実施例２のように突設部５０を短くすると滑り止め効果が減少するように思われるが、開発者の想定外の効果として爪部２の地面への突き刺さりが深くなり、実施例２の傾斜面用靴底装着具１の総合的な滑り止め効果は、実施例１の滑り止め効果よりも良いものとなった。
【００２６】
〔１１．実施例２のバックルセット９について〕
実施例１において、短ベルト８０はつま先側を固定し、長ベルト８１は足首側を固定するものであった。この短ベルト８０と長ベルト８１を、図１３に示すように、つま先バックル９０と、足首バックル９１に交換することもできる。つま先バックル９０と足首バックル９１を備えるバックルセット９に交換すると、ベルトセット８よりも硬質な素材を用いて使用者の足に固定することができる。これにより、足首バックル９１の踵側のベルトが、踵と足首を同時に固定する為、足Ｆは前後に滑りにくいものとなる。ラチェット９２を設け、足の大小にかかわらず固定することもできる。また、貫通孔４３の縁部分に肉付けを行い、バックルセット９によって増加した負荷に対応することもできる。
【符号の説明】
【００２７】
１・・・傾斜面用靴底装着具
１０・・・滑り止め
２・・・爪部
２０・・・取り付けステー
２１・・・内側爪部
２２・・・外側爪部
３・・・本体
３０・・・外側面
３１・・・ボルト
３２・・・ナット
４・・・靴底接触部
４０・・・湾曲部
４１・・・一端側端部
４２・・・他端側端部
４３・・・貫通孔
４４・・・外側フック
５・・・底面斜部
５０・・・突設部
５１・・・内側突設部
５２・・・外側突設部
６・・・右端斜部
６０・・・右突設部
７・・・左端斜部
７０・・・左突設部
８・・・ベルトセット
８０・・・短ベルト
８１・・・長ベルト
８２・・・内側係止具
８３・・・外側係止具
９・・・バックルセット
９０・・・つま先バックル
９１・・・足首バックル
９２・・・ラチェット
θ・・・傾斜角
α・・・底面斜角
β・・・右端斜角
γ・・・左端斜角
Ｄ・・・足長方向
Ｗ・・・足幅方向
Ｇ・・・傾斜面
Ｆ・・・足
【図１】
2017063902.tif 000003
【図２】
2017063902.tif 000004
【図３】
2017063902.tif 000005
【図４】
2017063902.tif 000006
【図５】
2017063902.tif 000007
【図６】
2017063902.tif 000008
【図７】
2017063902.tif 000009
【図８】
2017063902.tif 000010
【図９】
2017063902.tif 000011
【図１０】
2017063902.tif 000012
【図１１】
2017063902.tif 000013
【図１２】
2017063902.tif 000014
【図１３】
2017063902.tif 000015